(57)【要約】      （修正有）【課題】データ分析に応じた改善業務の負担を軽減することができるデータ抽出装置、データ抽出方法及びデータ抽出プログラムを提供する。【解決手段】データ抽出装置１００は、データ分析に応じた改善業務のための要求を受け付け、使用区分が設定された各種データを記憶する記憶装置から、受け付けられた要求に対応する使用区分が設定されたデータを抽出する。これらにより、データ分析に応じた改善業務の負担を軽減する。【選択図】図２
2019087048.tif 000002
【特許請求の範囲】
【請求項１】
制御部を備えたデータ抽出装置であって、
前記制御部は、
データ分析に応じた改善業務のための要求を受け付ける受付手段と、
使用区分が設定された各種データを記憶する記憶装置から、受け付けられた前記要求に対応する使用区分が設定されたデータを抽出する抽出手段と、
を備えたこと、
を特徴とするデータ抽出装置。
【請求項２】
前記制御部は、
抽出された前記データをファイル出力する出力手段をさらに備え、
前記受付手段は、前記改善業務の一つとしてファイル出力するための前記要求を受け付け、
前記抽出手段は、ファイル出力するための前記要求に対応する使用区分が設定されたデータを前記記憶装置から抽出すること、
を特徴とする請求項１に記載のデータ抽出装置。
【請求項３】
前記出力手段は、任意のデータ形式にてファイル出力すること、
を特徴とする請求項２に記載のデータ抽出装置。
【請求項４】
前記制御部は、
他システムと連携して、抽出された前記データに応じた更新を依頼する連携手段をさらに備え、
前記受付手段は、前記改善業務の一つとして他システムのデータを更新するための前記要求を受け付け、
前記抽出手段は、他システムのデータを更新するための前記要求に対応する使用区分が設定されたデータを前記記憶装置から抽出すること、
を特徴とする請求項１〜３の何れか一つに記載のデータ抽出装置。
【請求項５】
前記記憶装置は、データの抽出条件をさらに記憶し、
前記抽出手段は、前記抽出条件をもとに前記記憶装置からデータを抽出すること、
を特徴とする請求項１〜４の何れか一つに記載のデータ抽出装置。
【請求項６】
制御部を備えたデータ抽出装置で実行されるデータ抽出方法であって、
前記制御部で実行される、
データ分析に応じた改善業務のための要求を受け付ける受付ステップと、
使用区分が設定された各種データを記憶する記憶装置から、受け付けられた前記要求に対応する使用区分が設定されたデータを抽出する抽出ステップと、
を含むこと、
を特徴とするデータ抽出方法。
【請求項７】
制御部を備えたデータ抽出装置に実行させるためのデータ抽出プログラムであって、
前記制御部に実行させるための、
データ分析に応じた改善業務のための要求を受け付ける受付ステップと、
使用区分が設定された各種データを記憶する記憶装置から、受け付けられた前記要求に対応する使用区分が設定されたデータを抽出する抽出ステップと、
を含むこと、
を特徴とするデータ抽出プログラム。
【発明の詳細な説明】
【技術分野】
【０００１】
本発明は、データ抽出装置、データ抽出方法及びデータ抽出プログラムに関する。
【背景技術】
【０００２】
従来、ＢＩ（Business  Intelligence）ツールを採用した経営管理システム等においては、各種業務を分析するために、各種データを統合して表示する画面を示すデジタルダッシュボードが用いられることがある。例えば、特許文献１では、各店舗の売上データを収集し、収集した各店舗の売上データの変化率が、売上データの増減率の指標として設定した基準値を超えた場合に、報知文を生成して出力する分析シート作成処理が開示されている。
【先行技術文献】
【特許文献】
【０００３】
【特許文献１】特開２０１２−１２８８７５号公報
【発明の概要】
【発明が解決しようとする課題】
【０００４】
しかしながら、従来技術は、データ分析に応じた改善業務が煩雑であるという問題がある。例えば、店舗毎の売上状況や商品の在庫状況の分析を行なった後には、分析に応じた改善業務として、在庫が不足する店舗への商品の発注作業が発生する。この点、従来技術では、売上データに関する分析を行なっているものの、分析に応じた改善業務に適したデータを抽出しているわけではないため、ユーザにとっては、データ分析に応じた改善業務が煩雑である。
【０００５】
本発明は、上記に鑑みてなされたものであって、データ分析に応じた改善業務の負担を軽減することができるデータ抽出装置、データ抽出方法及びデータ抽出プログラムを提供することを目的とする。
【課題を解決するための手段】
【０００６】
上述した課題を解決し、目的を達成するために、本発明に係るデータ抽出装置は、制御部を備えたデータ抽出装置であって、前記制御部は、データ分析に応じた改善業務のための要求を受け付ける受付手段と、使用区分が設定された各種データを記憶する記憶装置から、受け付けられた前記要求に対応する使用区分が設定されたデータを抽出する抽出手段と、を備えたこと、を特徴とする。
【０００７】
また、本発明に係るデータ抽出装置においては、前記制御部は、抽出された前記データをファイル出力する出力手段をさらに備え、前記受付手段は、前記改善業務の一つとしてファイル出力するための前記要求を受け付け、前記抽出手段は、ファイル出力するための前記要求に対応する使用区分が設定されたデータを前記記憶装置から抽出すること、を特徴とする。
【０００８】
また、本発明に係るデータ抽出装置においては、前記出力手段は、任意のデータ形式にてファイル出力すること、を特徴とする。
【０００９】
また、本発明に係るデータ抽出装置においては、前記制御部は、他システムと連携して、抽出された前記データに応じた更新を依頼する連携手段をさらに備え、前記受付手段は、前記改善業務の一つとして他システムのデータを更新するための前記要求を受け付け、前記抽出手段は、他システムのデータを更新するための前記要求に対応する使用区分が設定されたデータを前記記憶装置から抽出すること、を特徴とする。
【００１０】
また、本発明に係るデータ抽出装置においては、前記記憶装置は、データの抽出条件をさらに記憶し、前記抽出手段は、前記抽出条件をもとに前記記憶装置からデータを抽出すること、を特徴とする。
【００１１】
また、本発明に係るデータ抽出方法は、制御部を備えたデータ抽出装置で実行されるデータ抽出方法であって、前記制御部で実行される、データ分析に応じた改善業務のための要求を受け付ける受付ステップと、使用区分が設定された各種データを記憶する記憶装置から、受け付けられた前記要求に対応する使用区分が設定されたデータを抽出する抽出ステップと、を含むこと、を特徴とする。
【００１２】
また、本発明に係るデータ抽出プログラムは、制御部を備えたデータ抽出装置に実行させるためのデータ抽出プログラムであって、前記制御部に実行させるための、データ分析に応じた改善業務のための要求を受け付ける受付ステップと、使用区分が設定された各種データを記憶する記憶装置から、受け付けられた前記要求に対応する使用区分が設定されたデータを抽出する抽出ステップと、を含むこと、を特徴とする。
【発明の効果】
【００１３】
本発明によれば、データ分析に応じた改善業務の負担を軽減することができるという効果を奏する。
【図面の簡単な説明】
【００１４】
【図１】図１は、従来技術に係る改善業務の例を説明する図である。
【図２】図２は、実施の形態に係るデータ抽出装置の構成例を示すブロック図である。
【図３Ａ】図３Ａは、実施の形態に係るダッシュボードヘッダ情報に記憶される情報について説明する図である。
【図３Ｂ】図３Ｂは、実施の形態に係るダッシュボード項目情報に記憶される情報について説明する図である。
【図３Ｃ】図３Ｃは、実施の形態に係る抽出条件情報に記憶される情報について説明する図である。
【図４Ａ】図４Ａは、実施の形態に係るデータ抽出処理に利用されるダッシュボードヘッダ情報の例を示す図である。
【図４Ｂ】図４Ｂは、実施の形態に係るデータ抽出処理に利用されるダッシュボード項目情報の例を示す図である。
【図４Ｃ】図４Ｃは、実施の形態に係るデータ抽出処理に利用される抽出条件情報の例を示す図である。
【図５】図５は、実施の形態に係る店舗売上分析を表すデジタルダッシュボードの例を示す図である。
【図６】図６は、実施の形態に係るデータ出力の例を示す図である。
【図７】図７は、実施の形態に係るデータ抽出処理の流れの例を示すフローチャートである。
【発明を実施するための形態】
【００１５】
以下に添付図面を参照して、本発明に係るデータ抽出装置、データ抽出方法及びデータ抽出プログラムの実施の形態を説明する。なお、以下の実施の形態により本発明が限定されるものではない。
【００１６】
［従来技術に係る改善業務］
店舗等の経営においては、店舗毎の売上状況や商品の在庫状況を分析する分析業務が行なわれる場合がある。分析業務では、各店舗の売上データや在庫データ等を収集し、各データを統合して表示する画面を示すデジタルダッシュボードを用いたシステムにより、状況を把握することができる。また、このような分析業務が行なわれた後は、分析に応じた改善業務が行なわれることが想定される。例えば、改善業務の一つとしては、在庫が不足する店舗への商品の発注作業が挙げられる。
【００１７】
図１は、従来技術に係る改善業務の例を説明する図である。例えば、図１に示すように、デジタルダッシュボードには、各店舗の売上データや在庫データを含んだ「店舗売上分析」の画面が表示される。詳細には、店舗売上分析の画面には、各店舗の店舗名と、各商品の商品名と、各商品の売上数と、各商品の売上金額と、各商品の在庫数との情報が表示される。ここで、管理者等のユーザは、各店舗の各商品の在庫数をもとに改善業務（例えば、発注作業）を行なう。また、ユーザは、店舗売上分析の画面に配置された「データ出力」ボタンを押下することで、店舗売上分析の情報をファイル出力させ、ファイル出力された情報を見て、各店舗の各商品の在庫数をもとに改善業務（例えば、発注作業）を行なうこともできる。
【００１８】
例えば、発注作業では、手作業により、発注先の店舗コードや店舗名、発注の対象となる商品の商品コードや商品名、発注数等を含むデータが作成される。図１の例では、品川店の商品である「Ｔシャツ」の在庫数が「１」であることから、品川店のＴシャツの発注数を「１９」とし、新宿店の商品である「カーディガン」の在庫数が「３」であることから、新宿店のカーディガンの発注数を「１７」としている。このように、従来技術では、画面に表示された分析用のデータをそのままファイル出力する等して、発注作業等の改善業務を手作業等により行なっていた。このため、ユーザにとっては、データ分析に応じた改善業務が煩雑であり、分析業務から、分析業務後に発生する改善業務までのアクションを迅速・好適に行なうことが困難であった。
【００１９】
そこで、本実施の形態では、例えば、使用区分が設定された各種データを記憶する記憶装置から、データ分析に応じた改善業務のための要求に対応する使用区分が設定されたデータを抽出するデータ抽出装置、データ抽出方法及びデータ抽出プログラムを提供する。以下、具体的な構成及び動作について説明する。
【００２０】
［構成］
図２を用いて、実施の形態に係るデータ抽出装置１００の構成を説明する。図２は、実施の形態に係るデータ抽出装置１００の構成例を示すブロック図である。
【００２１】
データ抽出装置１００は、例えば、デスクトップ型パーソナルコンピュータである。なお、データ抽出装置１００は、デスクトップ型のパーソナルコンピュータのような据置型の情報処理装置に限られるものではなく、ノート型パーソナルコンピュータ、ＰＤＡ（Personal  Digital  Assistants）、スマートフォン、タブレット型パーソナルコンピュータ等の携帯型の情報処理装置であっても良い。
【００２２】
図２に示すように、データ抽出装置１００は、記憶部１１０と、制御部１２０と、通信インタフェース部１３０と、入出力インタフェース部１４０とを有する。データ抽出装置１００に含まれる各部は、任意の通信路を介して通信可能に接続されている。
【００２３】
通信インタフェース部１３０は、ルータ等の通信装置と、専用線等の有線又は無線の通信回路とを介して、データ抽出装置１００をネットワーク１に通信可能に接続する。通信インタフェース部１３０は、他の装置と通信回線を介してデータ通信する機能を有する。ここで、ネットワーク１は、データ抽出装置１００と、連携システム２００とを相互に通信可能に接続する機能を有し、例えばインターネットやＬＡＮ（Local  Area  Network）等である。
【００２４】
入出力インタフェース部１４０には、入力装置１１及び出力装置１２が接続される。出力装置１２には、モニタ（家庭用テレビを含む）の他、スピーカやプリンタを用いることができる。入力装置１１には、キーボード、マウス及びマイクの他、マウスと協働してポインティングデバイス機能を実現するモニタを用いることができる。本実施の形態において、出力装置１２には、デジタルダッシュボードが表示出力される。
【００２５】
記憶部１１０には、各種のデータベース、テーブル及びファイル等が格納される。記憶部１１０には、ＯＳ（Operating  System）と協働してＣＰＵ（Central  Processing  Unit）に命令を与えて各種処理を行なうためのコンピュータプログラムが記録される。記憶部１１０としては、例えば、ＲＡＭ（Random  Access  Memory）やＲＯＭ（Read  Only  Memory）等のメモリ装置、ＨＤＤ（Hard  Disk  Drive）のような固定ディスク装置、フレキシブルディスク、光ディスク等を用いることができる。
【００２６】
記憶部１１０は、使用区分が設定された各種データを記憶する。記憶部１１０は、データベースとして、ダッシュボードヘッダ情報１１１と、ダッシュボード項目情報１１２と、抽出条件情報１１３とを有する。これらのうち、ダッシュボードヘッダ情報１１１は、デジタルダッシュボードの名称を表す情報や、データ抽出装置１００と連携する連携先のシステムに関する接続情報を記憶する。ダッシュボード項目情報１１２は、デジタルダッシュボードに含まれる各種データを使用区分に対応付けて記憶する。抽出条件情報１１３は、ファイル出力や他システムとの連携のためのデータ抽出の際の抽出条件に関する情報を記憶する。なお、記憶部１１０は、「記憶装置」の一例であり、データ抽出装置１００が備えていなくても良い。例えば、データ抽出装置１００に接続された外部の記憶装置に、使用区分が設定された各種データを記憶させる構成としても良い。
【００２７】
図３Ａは、実施の形態に係るダッシュボードヘッダ情報１１１に記憶される情報について説明する図である。図３Ａに示すように、ダッシュボードヘッダ情報１１１には、デジタルダッシュボードの名称を示すダッシュボード名称と、データ抽出装置１００と連携する連携先のシステムへの接続情報を示すデータ連携先情報との情報が記憶される。例えば、ダッシュボード名称は、「店舗売上分析」である。本実施の形態では、各店舗の売上データ等を含むデジタルダッシュボードを用いた分析業務が行なわれる場合を例に挙げる。また、例えば、データ連携先情報は、連携システム２００への接続情報である。本実施の形態では、分析業務後に、連携システム２００と連携して、改善業務（例えば、発注作業）が行なわれる場合を例に挙げる。
【００２８】
図３Ｂは、実施の形態に係るダッシュボード項目情報１１２に記憶される情報について説明する図である。図３Ｂに示すように、ダッシュボード項目情報１１２には、デジタルダッシュボードに含まれる各種データが使用区分に対応付けて記憶される。例えば、ダッシュボード項目情報１１２は、列項目と、使用区分と、出力時データ区分と、出力時列名称と、出力値との情報を記憶する。これらのうち、列項目は、各店舗を識別する「店舗コード」等のデジタルダッシュボードで使用される列項目の情報である。使用区分は、各種データについて、画面への出力、データ出力（ファイル出力）、データ連携の何れで使用するかを設定するための情報である。出力時データ区分は、データ出力（ファイル出力）時とデータ連携時とにおいて、画面の値と予め設定された値との何れを使用するかを示す情報である。出力時列名称は、データ出力（ファイル出力）時とデータ連携時とにおける列の項目名を示す情報である。出力値は、出力時データ区分が「予め設定された値」である場合に使用される値である。
【００２９】
図３Ｃは、実施の形態に係る抽出条件情報１１３に記憶される情報について説明する図である。図３Ｃに示すように、抽出条件情報１１３には、データ出力（ファイル出力）時や他システムとのデータ連携時に実施されるデータ抽出の際の抽出条件に関する情報が記憶される。本実施の形態では、在庫数「１０」以下に該当する商品のデータを抽出する条件として例に挙げる。
【００３０】
制御部１２０は、データ抽出装置１００を統括的に制御するＣＰＵ等である。制御部１２０は、ＯＳ等の制御プログラム・各種の処理手順等を規定したプログラム・所要データ等を格納するための内部メモリを有し、格納されているこれらのプログラムに基づいて種々の情報処理を実行する。
【００３１】
制御部１２０は、機能概念的に、（１）データ分析に応じた改善業務のための要求を受け付ける受付部１２１と、（２）使用区分が設定された各種データを記憶する記憶装置から、受付部１２１によって受け付けられた要求に対応する使用区分が設定されたデータを抽出する抽出部１２２と、（３）抽出部１２２によって抽出されたデータをファイル出力する出力部１２３と、（４）他システムと連携して、抽出部１２２によって抽出されたデータに応じた更新を依頼する連携部１２４と、を備えている。
【００３２】
より具体的には、受付部１２１は、店舗毎の売上状況や商品の在庫状況の分析に関するデジタルダッシュボードの表示に応じて、該分析に応じた改善業務（例えば、発注作業等）のための要求を受け付ける。ここで、本実施の形態では、店舗ごとに商品の発注数に関する情報をデータ出力（ファイル出力）する場合と、連携システム２００等の他システムと連携して、発注数等の商品の発注に関するデータの更新を依頼する場合とを、改善業務の例に挙げて説明する。例えば、出力装置１２に表示出力されるデジタルダッシュボードには、ファイル出力のためのＵＩ（User  Interface）や、データ連携のためのＵＩが含まれる。ユーザは、入力装置１１を用いて、ファイル出力又はデータ連携のＵＩを操作する。これにより、受付部１２１は、改善業務のための要求を受け付けることになる。
【００３３】
抽出部１２２は、受付部１２１によって受け付けられた改善業務のための要求に対応する使用区分が設定されたデータを、記憶部１１０から抽出する。上述したように、改善業務は、ファイル出力又はデータ連携である。従って、抽出部１２２は、受付部１２１によってファイル出力の要求が受け付けられた場合に、ファイル出力に対応する使用区分が設定されたデータを記憶部１１０から抽出する。同様に、抽出部１２２は、受付部１２１によってデータ連携の要求が受け付けられた場合に、データ連携に対応する使用区分が設定されたデータを記憶部１１０から抽出する。なお、抽出部１２２は、記憶部１１０からのデータ抽出の際に、抽出条件に関する情報が存在するのであれば、該情報をもとに記憶部１１０からデータを抽出する。
【００３４】
出力部１２３は、抽出部１２２によって抽出されたデータをファイル出力する。例えば、出力部１２３は、受付部１２１によってファイル出力の要求が受け付けられ、抽出部１２２によってファイル出力に対応する使用区分が設定されたデータが記憶部１１０から抽出された場合に、抽出されたデータをファイル出力する。なお、出力部１２３によって出力されるファイルは、任意のデータ形式で良い。
【００３５】
連携部１２４は、抽出部１２２によって抽出されたデータに応じた更新を連携システム２００に依頼する。例えば、連携部１２４は、受付部１２１によってデータ連携の要求が受け付けられ、抽出部１２２によってデータ連携に対応する使用区分が設定されたデータが記憶部１１０から抽出された場合に、通信インタフェース部１３０を介して、抽出されたデータを連携システム２００に送信し、該データに応じた更新を依頼する。
【００３６】
［データ抽出処理の具体例］
次に、図４Ａ〜図６を用いて、実施の形態に係るデータ抽出処理の具体例を説明する。
【００３７】
まず、図４Ａ〜図４Ｃを用いて、データ抽出処理の具体例に利用されるデータについて説明する。図４Ａは、実施の形態に係るデータ抽出処理に利用されるダッシュボードヘッダ情報の例を示す図である。図４Ａに示すように、デジタルダッシュボードの名称を店舗売上分析とし、データ連携時の連携先（連携システム２００）に関する情報を発注システムのデータベースへの接続情報とする。
【００３８】
図４Ｂは、実施の形態に係るデータ抽出処理に利用されるダッシュボード項目情報の例を示す図である。図４Ｂに示すように、列項目「店舗コード」の使用区分は「データ出力」、「データ連携」である。また、列項目「店舗コード」の出力時データ区分は「画面の値」であり、出力時列名称は「発注先店舗コード」である。つまり、店舗コードに関する情報は、データ出力（ファイル出力）やデータ連携において使用され、また、出力時の列名称が「発注先店舗コード」に変換されたうえで画面（デジタルダッシュボード）の値が使用される。
【００３９】
列項目「店舗名」の使用区分は「画面」、「データ出力」、「データ連携」である。また、列項目「店舗名」の出力時データ区分は「画面の値」であり、出力時列名称は「発注先店舗名」である。つまり、店舗名に関する情報は、画面（デジタルダッシュボード）への表示やデータ出力（ファイル出力）、データ連携において使用され、また、出力時の列名称が「発注先店舗名」に変換されたうえで画面（デジタルダッシュボード）の値が使用される。
【００４０】
列項目「商品コード」の使用区分は「データ出力」、「データ連携」である。また、列項目「商品コード」の出力時データ区分は「画面の値」であり、出力時列名称は「商品コード」である。つまり、商品コードに関する情報は、データ出力（ファイル出力）やデータ連携において使用され、また、出力時の列名称をそのまま「商品コード」として画面（デジタルダッシュボード）の値が使用される。
【００４１】
列項目「商品名」の使用区分は「画面」、「データ出力」、「データ連携」である。また、列項目「商品名」の出力時データ区分は「画面の値」であり、出力時列名称は「商品名」である。つまり、商品名に関する情報は、画面（デジタルダッシュボード）への表示やデータ出力（ファイル出力）、データ連携において使用され、また、出力時の列名称をそのまま「商品名」として画面（デジタルダッシュボード）の値が使用される。
【００４２】
列項目「売上数」、列項目「売上金額」、列項目「在庫数」の使用区分は「画面」である。これらの列項目については、出力時データ区分や出力時列名称、出力値は設定されていない。つまり、データ出力（ファイル出力）やデータ連携等の改善業務では、これらの列項目は利用されないことを表している。
【００４３】
列項目「発注数」の使用区分は「データ出力」、「データ連携」である。また、列項目「発注数」の出力時データ区分は「予め設定した値」であり、出力時列名称は「発注数」である。さらに、列項目「発注数」の出力値は「２０−在庫数」である。つまり、発注数に関する情報は、データ出力（ファイル出力）やデータ連携において使用され、また、出力時の列名称をそのまま「発注数」として、予め設定された値として「２０−在庫数」の値が使用される。
【００４４】
図４Ｃは、実施の形態に係るデータ抽出処理に利用される抽出条件情報の例を示す図である。図４Ｃに示すように、データ出力時（ファイル出力時）やデータ連携時には、「在庫数が１０以下」という抽出条件をもとにデータ抽出が行なわれる。
【００４５】
次に、図５を用いて、実施の形態に係る店舗売上分析を表すデジタルダッシュボードを説明する。図５は、実施の形態に係る店舗売上分析を表すデジタルダッシュボードの例を示す図である。
【００４６】
図５に示すように、記憶部１１０には、店舗コード、店舗名、商品コード、商品名、売上数、売上金額、在庫数、発注数に関する各データが記憶されている。ここで、店舗売上分析のデジタルダッシュボードには、図４Ｂに示した使用区分に「画面」が設定されている、破線で囲まれた列項目のデータそれぞれが表示出力される。また、上述したように、列名称には、出力時列名称に設定された名称が利用されている。
【００４７】
図５に示す店舗売上分析のデジタルダッシュボードには、「データ連携」ボタンと、「データ出力」ボタンとが含まれる。データ出力ボタンは、ファイル出力を行なうときに利用される。つまり、データ出力ボタンが押下された場合は、受付部１２１によって、店舗ごとに商品の発注数に関する情報をデータ出力（ファイル出力）する要求が受け付けられ、抽出部１２２によって使用区分や抽出条件をもとにデータが抽出され、出力部１２３によってファイル出力されることになる。
【００４８】
また、データ連携ボタンは、連携システム２００のデータ更新を依頼するときに利用される。つまり、データ連携ボタンが押下された場合は、受付部１２１によって、連携システム２００等の他システムと連携して、発注数等の商品の発注に関するデータの更新を依頼する要求が受け付けられ、抽出部１２２によって使用区分や抽出条件をもとにデータが抽出され、連携部１２４によってデータの更新依頼が送信されることになる。
【００４９】
以下に、データ出力ボタンが押下されたときのデータ出力について説明する。図６は、実施の形態に係るデータ出力の例を示す図である。図６に示すように、データ出力ボタンが押下された場合は、図４Ｂに示した使用区分に「データ出力」が設定されている、破線で囲まれた列項目のデータそれぞれがファイル出力される。加えて、抽出条件をもとにデータが抽出されるため、図４Ｃに示した抽出条件「在庫数が１０以下」に合致する商品（図６に示す網掛け箇所参照）について、図４Ｂに示した出力値「２０−在庫数」にしてファイル出力される。
【００５０】
具体的には、品川店のＴシャツは在庫数が「１」であるから、抽出条件「在庫数が１０以下」に合致し、ファイル出力時の出力値は「２０−１＝１９」となる。同様に、新宿店のカーディガンは在庫数が「３」であるから、抽出条件「在庫数が１０以下」に合致し、ファイル出力時の出力値は「２０−３＝１７」となる。
【００５１】
［データ抽出処理フロー］
次に、図７を用いて、実施の形態に係るデータ抽出処理の流れを説明する。図７は、実施の形態に係るデータ抽出処理の流れの例を示すフローチャートである。
【００５２】
図７に示すように、受付部１２１は、改善業務のための要求が受け付けられたか否かを判定する（ステップＳ１０１）。このとき、店舗売上分析のデジタルダッシュボードにおけるユーザ操作に応じて、受付部１２１は、改善業務のための要求を受け付ける（ステップＳ１０１：Ｙｅｓ）。改善業務のための要求は、データ出力（ファイル出力）又はデータ連携である。一方、受付部１２１は、改善業務のための要求が受け付けられていない場合に（ステップＳ１０１：Ｎｏ）、該要求の受け付け待ちの状態となる。
【００５３】
抽出部１２２は、受付部１２１によってファイル出力のための要求が受け付けられた場合に（ステップＳ１０２：ファイル出力）、抽出条件に従って、ファイル出力に対応する使用区分が設定されたデータを記憶部１１０から抽出する（ステップＳ１０３）。その後、出力部１２３は、抽出部１２２によって抽出されたデータをファイル出力する（ステップＳ１０４）。
【００５４】
また、抽出部１２２は、受付部１２１によってデータ連携のための要求が受け付けられた場合に（ステップＳ１０２：データ連携）、抽出条件に従って、連携システム２００のデータ更新に対応する使用区分が設定されたデータを記憶部１１０から抽出する（ステップＳ１０５）。その後、連携部１２４は、抽出部１２２によって抽出されたデータに応じた更新を連携システム２００に依頼する（ステップＳ１０６）。
【００５５】
このように、本実施の形態によれば、分析業務後に要する改善業務のための要求を受け付け、受け付けた要求に対応する使用区分が設定されたデータを、使用区分が設定された各種データを記憶する記憶装置から抽出するので、データ分析に応じた改善業務の負担を軽減することができる。
【００５６】
また、本実施の形態によれば、ファイル出力するための要求に応じて、抽出されたデータをファイル出力するので、分析データをもとに手作業等によりファイルを生成する手間を省き、分析業務後に発生する改善業務までのアクションを迅速・好適に行なうことができる。また、本実施の形態によれば、データ連携するための要求に応じて、抽出されたデータを他システムのデータを更新するために送信するので、分析業務後に発生する改善業務までのアクションを迅速・好適に行なうことができる。
【００５７】
また、本実施の形態によれば、抽出条件をもとに、使用区分が設定されたデータを記憶装置から抽出するので、改善業務に適したデータを出力することができる。
【００５８】
［他の実施の形態］
本発明は、上述した実施の形態以外にも、特許請求の範囲に記載した技術的思想の範囲内において、種々の異なる実施の形態にて実現されても良いものである。
【００５９】
例えば、実施の形態において説明した各処理のうち、自動的に行なわれるものとして説明した処理の全部又は一部を手動的に行なうこともでき、或いは、手動的に行なわれるものとして説明した処理の全部又は一部を公知の方法で自動的に行なうこともできる。
【００６０】
また、本明細書や図面中で示した処理手順、制御手順、具体的名称、各処理の登録データや検索条件等のパラメータを含む情報、画面例、データベース構成については、特記する場合を除いて任意に変更することができる。
【００６１】
また、データ抽出装置１００に関して、図示の各構成要素は機能概念的なものであり、必ずしも物理的に図示の如く構成されていることを要しない。
【００６２】
例えば、データ抽出装置１００が備える処理機能、特に、制御部１２０にて実行される各処理機能については、その全部又は任意の一部を、ＣＰＵ及び該ＣＰＵにて解釈実行されるプログラムにて実現しても良く、また、ワイヤードロジックによるハードウェアとして実現しても良い。なお、プログラムは、本実施の形態で説明した処理を情報処理装置に実行させるためのプログラム化された命令を含む一時的でないコンピュータ読み取り可能な記録媒体に記録されており、必要に応じてデータ抽出装置１００に機械的に読み取られる。すなわち、ＲＯＭ又はＨＤＤ等の記憶部等には、ＯＳと協働してＣＰＵに命令を与え、各種処理を行なうためのコンピュータプログラムが記録されている。このコンピュータプログラムは、ＲＡＭにロードされることによって実行され、ＣＰＵと協働して制御部を構成する。
【００６３】
また、このコンピュータプログラムは、データ抽出装置１００に対して、任意のネットワークを介して接続されたアプリケーションプログラムサーバに記憶されていても良く、必要に応じてその全部又は一部をダウンロードすることも可能である。
【００６４】
また、本実施の形態で説明した処理を実行するためのプログラムを、一時的ではないコンピュータ読み取り可能な記録媒体に格納しても良く、また、プログラム商品として構成することもできる。ここで、この「記録媒体」とは、メモリカード、ＵＳＢ（Universal  Serial  Bus）メモリ、ＳＤ（Secure  Digital）カード、フレキシブルディスク、光磁気ディスク、ＲＯＭ、ＥＰＲＯＭ（Erasable  Programmable  Read  Only  Memory）、ＥＥＰＲＯＭ（登録商標）（Electrically  Erasable  and  Programmable  Read  Only  Memory）、ＣＤ−ＲＯＭ（Compact  Disk  Read  Only  Memory）、ＭＯ（Magneto‐Optical  disk）、ＤＶＤ（Digital  Versatile  Disk）、及び、Ｂｌｕ−ｒａｙ（登録商標）  Ｄｉｓｃ等の任意の「可搬用の物理媒体」を含むものとする。従って、本明細書で説明したような処理又は処理方法を実行するためのプログラムを格納した記録媒体もまた、本発明を構成することとなる。
【００６５】
また、「プログラム」とは、任意の言語又は記述方法にて記述されたデータ処理方法であり、ソースコード又はバイナリコード等の形式を問わない。なお、「プログラム」は、必ずしも単一的に構成されるものに限られず、複数のモジュールやライブラリとして分散構成されるものや、ＯＳに代表される別個のプログラムと協働してその機能を達成するものを含む。なお、実施の形態に示した各装置において、記録媒体を読み取るための具体的な構成及び読み取り手順、並びに、読み取り後のインストール手順等については、周知の構成や手順を用いることができる。
【００６６】
記憶部１１０に格納される各種のデータベース等は、ＲＡＭ、ＲＯＭ等のメモリ装置、ハードディスク等の固定ディスク装置、フレキシブルディスク、及び、光ディスク等のストレージ手段であり、各種処理やウェブサイト提供に用いる各種のプログラム、テーブル、データベース、及び、ウェブページ用ファイル等を格納する。
【００６７】
また、データ抽出装置１００は、既知のパーソナルコンピュータ又はワークステーション等の情報処理装置として構成されても良く、また、任意の周辺装置が接続された情報処理装置として構成されても良い。また、データ抽出装置１００は、本実施の形態で説明した処理を実現させるソフトウェア（プログラム又はデータ等を含む）を実装することにより実現しても良い。
【００６８】
さらに、装置の分散・統合の具体的形態は図示するものに限られず、その全部又は一部を、各種の付加等に応じて又は機能負荷に応じて、任意の単位で機能的又は物理的に分散・統合して構成することができる。すなわち、上述した実施の形態を任意に組み合わせて実施しても良く、実施の形態を選択的に実施しても良い。
【産業上の利用可能性】
【００６９】
本発明は、特に、データの分析業務後に発生する改善業務において有用である。
【符号の説明】
【００７０】
１１  入力装置
１２  出力装置
１００  データ抽出装置
１１０  記憶部
１１１  ダッシュボードヘッダ情報
１１２  ダッシュボード項目情報
１１３  抽出条件情報
１２０  制御部
１２１  受付部
１２２  抽出部
１２３  出力部
１２４  連携部
１３０  通信インタフェース部
１４０  入出力インタフェース部
２００  連携システム
【図１】
2019087048.tif 000003
【図２】
2019087048.tif 000004
【図３Ａ】
2019087048.tif 000005
【図３Ｂ】
2019087048.tif 000006
【図３Ｃ】
2019087048.tif 000007
【図４Ａ】
2019087048.tif 000008
【図４Ｂ】
2019087048.tif 000009
【図４Ｃ】
2019087048.tif 000010
【図５】
2019087048.tif 000011
【図６】
2019087048.tif 000012
【図７】
2019087048.tif 000013